(57)【要約】【課題】  導線を電子が走ると電流は逆の方向に走る。この事は何を意味するのか。電流は何によってできるのか。大気は携帯電話の電磁波で満ちているのに感じないのはなぜか。【解決手段】  電流は電子のラブが走る事によってできる電気の光子であると考える。電子のラブは超高エネルギー体なので走ると電気の光子を作る。電子のラブは超高エネルギー体なので走った跡に光子ができる。電子のラブが公転した跡に電気の光子ができる。電子のラブが自転した跡に磁気の光子ができる。導線の中を電子のラブが走る時、電子のラブは自転し公転しながら螺旋状に走る。１Ａ・１ｍでできる力は、電子のラブが自転しながら走る事によってできる磁気の光子の輪のエネルギーである。１Ａ・１秒でできる力は、電子のラブが公転しながら走る事によってできる電気の光子が螺旋状に走るエネルギーである。原子の中で、電子のラブは自転し磁気の光子を作り、公転し電気の光子を作っているので、物質からも電磁波は放出しているので、携帯電話やテレビの電磁波は感じない。【選択図】  図１２
2005269884.tif 000002
【特許請求の範囲】
【請求項１】
電流とは何か。導線の中を自由電子が走ったとき電流ができるのは、電子のラブが走って電気の光子ができるからである。電気の光子が走る事を電流という。
【請求項２】
電子のラブはどうして電気の光子を作るか。電子のラブはビッグバンの以前にできた超高エネルギー体である。それで、超高エネルギー体である電子のラブが走ると電気の光子ができる。
【請求項３】
電子のラブは何によって電気の光子を作るか。電子のラブは公転により電気の光子を作る。電子のラブは自転により磁気の光子を作る。原子の中で、電子のラブは公転により電気の光子の輪を作る。１公転により１つの電気の光子の輪を作る。原子の中で、電子のラブは自転により磁気の光子の輪を作る。１自転により１つの磁気の光子の輪を作る。自由電子のラブは導線を走るとき、自転し公転しながら走っているので、磁気の光子の輪と電気の光子の輪を作っている。磁気の光子の輪は導線の外に出る。電気の光子の輪は導線の中をらせん状に走る。これが電流である。
【請求項４】
光子とは何か。光子には２種類ある。１つはラブの自転によってできる磁気の光子の輪である。磁気の光子の輪にはエネルギーがある。このエネルギーが磁気の光子のエネルギーである。これが磁気の光子１個のエネルギーである。１つはラブの公転によってできる電気の光子の輪である。電気の光子の輪にはエネルギーがある。これが電気の光子１個のエネルギーである。自由電子のラブが導線を走るときも、電子のラブは自転し、公転しながら走る。それで、磁気の光子の輪と電気の光子の輪を作っている。
【請求項５】
光子の輪はどのように広がるか。▲１▼電気の光子と磁気の光子は輪の状態で拡大する。▲２▼輪にはエネルギーがある。▲３▼輪の１点に１個の光子がある。▲４▼輪のエネルギーは光子１個のエネルギーである。  光子１個のエネルギーは輪のエネルギーである。▲５▼光子１個は波型に走る。▲６▼光子１個のエネルギーは波型（波長）に現れる。▲７▼光子１個のエネルギーは、電気の光子のエネルギー＝０．７５×１０−２５Ｊ・ｍ÷（波長÷２）。磁気の光子のエネルギー＝１．１×１０−４１Ｊ・ｍ÷（波長÷２）  である。
【請求項６】
原子から放出する光子はどうして球体となるか。電子のラブの公転は地球の自転方向であり、電気の光子の回転は電子のラブと逆方向である。それで、電気の光子は横回転である。磁気の光子は電子のラブをクロス回転し、縦回転である。原子の中で、横回転の電気の光子と、縦回転の磁気の光子ができる。電気の光子の軌道と磁気の光子軌道が同じ大きさであると、回転する軌道は同じ軌道である。同じ軌道を横回転し、縦回転する。同じ軌道で、電気の光子と磁気の光子は回転している。同じ軌道で、電気の光子は横回転し、磁気の光子は縦回転し、全体として球状の回転体となっている。
【請求項７】
同じ軌道を回転する電気の光子のエネルギーと、磁気の光子のエネルギーはどれ位違うか。電気の光子のエネルギーは０．７５×１０−２５Ｊ・ｍ÷軌道  であり、磁気の光子のエネルギーは１．１×１０−４１Ｊ・ｍ÷軌道である。同じ軌道を回転する電気の光子のエネルギーは磁気の光子のエネルギーの、０．７５×１０−２５÷（１．１×１０−４１）＝６．８１８×１０１５  倍である。
【請求項８】
原子の中で電子のラブの自転はどれ位の軌道か。原子の中で電子のラブの公転はどれ位の軌道か。電子のラブの自転の軌道は、磁気の光子のエネルギーの式により求められる。電子のラブの自転の軌道は、１．１×１０−４１Ｊ・ｍ÷（８×１０−１４Ｊ）＝１．３７５×１０−２８ｍ  １．３７５×１０−２８ｍである。電子のラブの公転の軌道は、原子のエネルギーの式により求められる。電子のラブの公転の軌道は、０．７５×１０−２５Ｊ・ｍ÷（８×１０−１４Ｊ）＝０．９３７５×１０−１２ｍ  ０．９３７５×１０−１２ｍである。
【請求項９】
原子の中で、電子のラブは１秒間に何回自転し、何個の磁気の光子の輪を作り、どれ位磁気の光子の輪が放出するか。特願２００２−３６０００６において、〔請求項３〕軌道のエネルギーと引力のマップを作った時、原子の中の光速を３×１０７ｍとしたら、正確なマップができた。それで、原子の中の、陽子、中性子、電子の速度は３×１０７ｍであるとする。電子のラブは１秒間に何回自転するか。３×１０７ｍ÷（３．１４×１．３７５×１０−２８ｍ）＝６．９４８×１０３４（回転）電子のラブは１秒間に約７×１０３４回自転し、７×１０３４個の磁気の光子の輪を作っている。１秒間に７×１０３４個の磁気の光子の輪が放出している。
【請求項１０】
原子の中で、電子のラブは１秒間に何回公転し、何個の電気の光子の輪を作り、どれ位電気の光子の輪が放出するか。電子のラブは１秒間に何回公転するか。原子の中では、電子のラブの秒速は３×１０７ｍとする。３×１０７ｍ÷（３．１４×０．９３７５×１０−１２ｍ）＝１．０１９×１０１９（回転）原子の中で、電子のラブは１秒間に約１０１９回公転し、約１０１９個の電気の光子の輪を作っている。１秒間に１０１９個の電気の光子の輪が放出している。
【請求項１１】
導線の中で、１Ａではどれ位の自由電子のラブが走っているか。電子のラブは１秒間走って、８×１０−１４Ｊの仕事をする粒子です。この事に関しては，特願２００２−３６０００６に記した。それで、導線を走る自由電子のラブは、９．４８７×１０４Ｎ÷（８×１０−１４Ｊ・ｍ）＝１．１８５８７５×１０１８約１．２×１０１８個の電子のラブが導線の中を走っている。
【請求項１２】
１Ａ・１ｍで、自由電子のラブ１個が作る磁気の光子はどれ位のエネルギーか。１Ａ・１ｍで、磁気の光子は（２×１０−７）１／２Ｎ・ｍ＝４．４７２×１０−４Ｊできる。それは１．１８５８×１０１８個の自由電子のラブによって作られる。それで、自由電子のラブ１個で作る磁気の光子のエネルギーは、４．４７２×１０−４Ｊ÷（１．１８５８×１０１８個）＝３．７７×１０−２２Ｊ  です。
【請求項１３】
１Ａの導線１ｍにおいて、自由電子のラブから放出する磁気の光子の軌道が５×１０−７ｍであるとするならば、自由電子のラブ１個から何個の磁気の光子が放出しているか。２２．番において地球の表面では５×１０−７ｍの光子が放出すると理解したのでこの値とする。５×１０−７ｍの磁気の光子のエネルギーは、１．１×１０−４１Ｊ・ｍ÷（５×１０−７ｍ）＝２．２×１０−３５Ｊ  です。この磁気の光子が何個放出しているか。３．７７×１０−２２Ｊ÷（２．２×１０−３５Ｊ）＝１．７１×１０１３個１．７１×１０１３個放出している。
【請求項１４】
１Ａの導線３×１０８ｍにおいて、５×１０−７ｍの磁気の光子はどれ位放出するか。（導線を走る電子のラブは１秒間に何回自転するか。）１Ａ・１ｍで１．７１×１０１３個放出するのであるから、１Ａ・３×１０８ｍでは、１．７１×１０１３個×３×１０８ｍ＝５．１３×１０２１個  放出する。即ち、導線を走る自由電子のラブは、１秒間に５．１３×１０２１回自転する。
【請求項１５】
１Ａの導線３×１０８ｍにおいて、自由電子のラブは１秒間に何回公転するか。導線を走る自由電子は１秒間に５．１３×１０２１回自転する。原子の中では、電子のラブは１秒間に、自転は７×１０３４回、公転は１×１０１９回です。この割合で自転と公転が行われるとして、導線で、走りながら行われる公転をＸ回とすると、７×１０３４：１０１９＝５．１３×１０２１：Ｘ  Ｘ＝７．３３×１０５１Ａの導線を電子のラブが走るとき、１秒間に７．３３×１０５回公転している。それで、電子のラブは１Ａの導線を１秒走ると、７．３３×１０５回公転し、７．３３×１０５個の電気の光子を作っている。
【請求項１６】
１Ａの導線を走るとき、電気の光子１個のエネルギーはどれくらいか。１Ａの導線には、１．１８５８×１０１８個の電子のラブが走っており、電子のラブ１個から７．３３×１０５個の電気の光子ができます。できる電気の光子１個のエネルギーをＹとすると、１．１８５８×１０１８×７．３３×１０５×Ｙ＝９．４８７×１０４Ｊ  Ｙ＝１．０９１４×１０−１９Ｊ電気の光子１個のエネルギーは１．０９１４×１０−１９Ｊです。この軌道は、０．７５×１０−２５Ｊ・ｍ÷（１．０９１４×１０−１９Ｊ）＝６．８７×１０−７ｍ  です。波長はこの２倍で、２×６．８７×１０−７ｍ＝１．３７４×１０−６ｍです。即ち、１Ａ・１ｍの導線から放出する磁気の光子の軌道を５×１０−７ｍとすると、導線にできる電気の光子１個のエネルギーは１．０９１４×１０−１９Ｊで、軌道は６．８７×１０−７ｍで、波長は１．３７４×１０−６ｍです。
【請求項１７】
導線の中で、自由電子のラブの仕事と、自由電子のラブの公転によってできた電気の光子の仕事はつりあっている。自由電子のラブの仕事は、電子のラブが１秒走ってする仕事×自由電子の数＝８×１０−１４Ｊ×１．１８５８７５×１０１８個＝９．４８７×１０４Ｊ  です。電気の光子の仕事は、電子のラブの数×１個の電子のラブから放出する電気の光子の数×１個の電気の光子のエネルギー＝１．１８５８７５×１０１８個×７．３３×１０５個×１．０９１４×１０−１９Ｊ＝９．４８７×１０４Ｊよって、自由電子のラブの仕事と自由電子のラブの公転によってできた電気の光子の仕事は等しい。
【請求項１８】
１Ａの導線から放出する磁気の光子のエネルギーをａとした場合、上記の問題はどうであるか。１Ａの導線から放出する磁気の光子のエネルギーをａとする。１Ａ・１ｍにおいて、磁気の光子は何個放出するか。４．４７２×１０−４Ｊ÷（１．１８５８×１０１８個）÷ａ＝３．７７×１０−２２Ｊ÷ａ  個放出する。自由電子のラブは１Ａ・１ｍでは、３．７７×１０−２２Ｊ÷ａ回自転し、３．７７×１０−２２Ｊ÷ａ個の輪の磁気の光子を作る。１Ａ・３×１０８ｍでは何個放出するか。３．７７×１０−２２Ｊ÷ａ×３×１０８ｍ＝１．１３１×１０−１３÷ａ  個放出する。自由電子のラブは１Ａ・３×１０８ｍでは、１．１３１×１０−１３÷ａ回自転し、１．１３１×１０−１３÷ａ個の輪の磁気の光子を作る。原子の中で、電子のラブは１秒間に７×１０３４回自転し、３．２×１０１９回公転する。この割合で、導線を走っている時も回転するとする。導線での公転はどれ位か。公転をＸ回転とする。７×１０３４：１０１９＝１．１３１×１０−１３÷ａ：Ｘ  Ｘ＝１．６１６×１０−２９÷ａ  回公転する。自由電子のラブは１Ａ・３×１０８ｍでは１．６１６×１０−２９÷ａ回公転し、１．６１６×１０−２９÷ａ個の電気の光子を作る。導線を流れる電気の光子１個のエネルギーをＥとする。９．４８７×１０４Ｊ＝１．１８５８×１０１８個×１．６１６×１０−２９÷ａ×ＥＥ＝４．９５０８×１０１５×ａこの式によって、導線１Ａ・１ｍから放出する磁気の光子１個の軌道（波長）が解ったら、電気の光子１個のエネルギーも解る。○仮に、放出する磁気の光子を可視光３×１０−７ｍの軌道とすると、このエネルギーは、１．１×１０−４１Ｊ・ｍ÷（３×１０−７ｍ）＝３．６７×１０−３５Ｊ  であり、電気の光子のエネルギーは、４．９５０８×１０１５×３．６７×１０−３５Ｊ＝１．８１６９４×１０−１９Ｊです。この軌道は、０．７５×１０−２５Ｊ・ｍ÷（１．８１６９４×１０−１９Ｊ）＝４．１２７８×１０−５ｍです。波長は、８．２５６×１０−５ｍです。導線を走るときの１Ａ・１ｍでは、磁気の光子は何回自転し、何個放出するか。３．７７×１０−２２Ｊ÷（３．６７×１０−３５Ｊ）＝１．０２７×１０１３  回自転し、同個放出する。導線を走る時１Ａ・３×１０８ｍでは、磁気の光子は何回自転し、何個放出するか。１．０２７×１０１３×３×１０８＝３．０８１×１０２１  回自転し、同個放出する。導線１Ａ・３×１０８ｍでは、公転はどれ位か。電気の光子は何個できるか。１．６１６×１０−２９÷（３．６７×１０−３５）＝４．４×１０５  回公転し、同個できる。それで、１Ａ・１ｍでできる磁気の光子のエネルギーは、３．６７×１０−３５Ｊ×１．０２７×１０１３個×１．１８５８×１０１８個＝４．４７×１０−４Ｊ．です。それで、１Ａ・３×１０８ｍでできる電気の光子のエネルギーは、１．８１６９４×１０−１９Ｊ×４．４×１０５個×１．１８５８×１０１８個＝９．４８×１０４Ｊ  です。
【請求項１９】
導線には電子のラブと電気の光子が流れているのに、どうして電流計には電気の光子が走る量よりキャッチできないのか。それは、電子のラブは余りにも小さいのでキャッチできないからです。
【請求項２０】
導線の中で、電子のラブの走る方向と逆方向に電流（＝電気の光子）が走るのはどうしてか。電気の光子はエネルギーの小さい方向に走る。例えば、原子の中で、電気の光子は電子のラブの公転より遠く離れた方向に走る。このように、電気の光子は電子のラブより遠く離れた方向に走るので、電子のラブの走る方向と逆の方向に走る。
【請求項２１】
光子の排斥放出と、原子の中の電子のラブでできた光子の放出はどのようになっているか。物質の分子の外側を回転する光子は、周囲の高エネルギーの光子により追い出される。物質の分子の外側を回転している光子より周囲の光子のエネルギーが大きければ（軌道は小さい）、物質の外側の軌道の光子はエネルギーが小さいのでその場に居られずその場を抜け出す。これが光子の排斥放出である。より大きなエネルギーの光子により、それよりエネルギーの小さな光子は追い出される現象を光子の排斥放出という。しかし、分子の軌道で、追い出されない軌道がある。分子との結合が強く、周囲の光子によって排斥されない軌道がある。この軌道から、原子の中の電子のラブによってできた光子が放出する。毎秒７×１０３４個の輪の磁気の光子が放出する。毎秒１０１９個の輪の電気の光子が放出する。
【請求項２２】
地球の表面では、物質からどれ位の軌道の光子が排斥放出されているか。夜行性の動物は月が出ていなくても、見える。これは物質から光子が排斥放出されているからです。１秒間に、磁気の光子は７×１０３４個の輪が放出しています。電気の光子は１０１９個の輪が放出しています。この放出する磁気の光子の輪を目に受けて、夜行性の動物は物質を見る事ができます。それでは、夜行性の動物はどれ位の軌道の（波長の）光子を受けているのでしょうか。夜行性の動物が受けている光子の波長は、物質から放出している光子である。この光子は可視光より小さいエネルギーである。それで、この光子の軌道を５×１０−７ｍと推定する。それで、地球の表面では常に、１原子から電子のラブの自転によってできた磁気の光子が放出している。５×１０−７ｍの軌道の磁気の光子が毎秒７×１０３４個の輪となって放出している。５×１０−７ｍの軌道の電気の光子が１０１９個の輪となって放出している。
【請求項２３】
目はどの光子を受けているのか。地球の表面では約５×１０−７ｍの軌道の光子が原子から放出している。夜行性の動物の目はこの光子を受ける。日光により５×１０−７ｍの光子は排斥される。日光により排斥されない分子の軌道がある。この排斥されない分子の軌道から、原子の中の電子のラブによってできる磁気の光子が毎秒７×１０３４個の輪で放出する。目はこの輪の磁気の光子を受けている。例えば、葉の葉緑体の分子は、日光によって排斥されない軌道は、２．５×１０−７ｍである。それで、葉緑体の原子の中の電子のラブによってできる磁気の光子は２．５×１０−７ｍの軌道で放出する。波長５×１０−７ｍの磁気の光子が毎秒７×１０３４個の輪で放出する。目はこの輪を受ける。
【請求項２４】
物質は夜見えず、明るくなると見え、色が見えるのはどうしてか。これは〔請求項１８・２０〕と重複する。夜、物質からは常に可視光より低エネルギーの５×１０−７ｍの光子が放出している。これは目に見えない。太陽や電灯などの大きなエネルギーの光子が当たると物質は見える。▲１▼太陽や電灯の光子は可視光の中でも、最も大きなエネルギーの光子で、軌道は最も小さい。▲２▼太陽や電灯の光子により排斥される光子は、物質の分子の外側を回転している光子で、太陽や電灯の光子の軌道より大きい軌道の光子である。▲３▼しかし、物質の分子の外側の光子の結合力が大きい場合、それ以上小さい軌道の光子は排斥されない。▲４▼物質の分子の原子の電子のラブによってできた磁気の光子は、その排斥されない軌道で放出する。例えば葉の場合。夜、葉の分子から５×１０−７ｍの光子は次々放出している。１原子から毎秒７×１０３４軌道＝輪の光子が放出している。この光子は見えない。葉の周囲が明るくなると、その場の光子は、葉の分子の外側を回転しているエネルギーの小さな光子を排斥放出する。しかし、葉の葉緑体の分子の結合力の大きい光子は排斥されない。葉緑体の分子の結合力の大きな光子の軌道は２．５×１０−７ｍである。それで、葉から、２．５×１０−７ｍの軌道の光子が次々放出する。原子の中の電子のラブの自転によってできた磁気の光子が次々放出する。原子の中の電子のラブの公転によってできた電気の光子が次々放出する。１原子から毎秒７×１０３４個の磁気の光子の輪が放出する。１原子から毎秒１０１９個の電気の光子の輪が放出する。目は５×１０−７ｍの波長の光子を次々受けて緑の葉として感受する。
【請求項２５】
１原子から毎秒７×１０３４個の磁気の光子の輪が放出していることはどのようにして理解できるか。人間が目に見えるということは、目は物質から次々放出する磁気の光子を受けていることである。物質から次々磁気の光子が出発しなければ、磁気の光子は次々目に当たらないので見えない。見えるという事は、物質から次々放出する磁気の光子があるということである。見える事によって、物質から次々放出する磁気の光子があることが理解できる。この事はテレビによって理解できる。テレビの呼び出されている画素は、フォトダイオードと微小コンデンサーが並列接続になっていて、光子は常に放出しています。光子は常に放出しなければ、目に受けた時物を見る事ができません。この事によって、見えるためには、常に光子が放出していなければいけません。夜行性の動物が物を見ることができるのは、物から常に光子が放出しているからです。よって、物質から次々光子は出発（放出）しています。
【請求項２６】
空気は見えず、水は見えるのはどうしてか。空気の比重は水の約１／１０００です。分子の量は空気は水の１／１０００です。それで、分子から放出する光子の量は、空気は水の１／１０００です。放出する光子の量が１／１０００で、目に受ける光子の量も１／１０００であり、刺激も１／１０００なので、目は空気の光子を感受できない。目は放出される光子の数（量）が少ないと見えない。よって、見えるという事は放出される光子の量が多い事です。光子の量が１／１０００になると見えないという事です。
【請求項２７】
磁気の光子の輪の間隔はいくらか。電気の光子の輪の間隔はいくらか。磁気の光子の輪は１秒間の間に７×１０３４個あるから、輪と輪の間隔は、３×１０８ｍ÷（７×１０３４個）＝４．８５×１０−２７ｍ  です。磁気の光子の輪と輪の間隔は４．８５×１０−２７ｍです。電気の光子の輪は１秒間に１０１９個できるから、輪と輪の間隔は、３×１０８ｍ÷１０１９個＝３×１０−１１ｍ  です。電気の光子の輪と輪の間隔は３×１０−１１ｍです。
【請求項２８】
どうして光子のエネルギーは飛び飛びのエネルギーになるか。光子の輪はラブの回転によってできる。それで、光子の輪は渦巻状にできる。渦巻状の回転を１方向から見ると、電子のラブの自転によってできた輪の間隔は約５×１０−２７ｍ離れている。それで、光子のエネルギーは飛び飛びである。
【請求項２９】
どうして光子は輪＝軌道として表現されるか。ラブの自転及び公転によって、回転は渦巻状にできる。中央からカットすると、渦巻は軌道として認識できる。それで、渦巻であるが軌道として認識する。
【請求項３０】
光子には２種類の軌道がある。１つは光子がエネルギーを持って、１個の粒子として回転する軌道である。１つは光子が走って自分の輪を大きくする軌道である。１秒走って２×３×１０８ｍの軌道になる軌道である。光子の粒子の軌道を“光子の軌道”＝“光子の軌道とエネルギー”と名づける。光子が走ってできる軌道を“走る軌道”と名づける。
【請求項３１】
地球発の光子の“走る軌道”と“光子の軌道とエネルギー”はどのようになるか。Ｋ＝１．１２×１０９ｍとする。（これについては、特願２００４−２４７５７４の〔請求項１０〕に記した。）太陽と地球の間のＫは、（１．１２×１０９）１／２ｍ＝３．３５×１０４ｍである。それで、“走る軌道”は５Ｋ＝１．６７５×１０４ｍ大きくなると、“光子の軌道とエネルギー”のエネルギーは１／１０になり、軌道は１０倍になる。それで、地球の地表から出発する光子の“走る軌道”と“光子の軌道エネルギー”は、光子の走る軌道が１．６７５×１０５ｍで、光子のエネルギーは１／１０、軌道は１０倍。光子の走る軌道が１．６７５×１０６ｍで、光子のエネルギーは１／１００、軌道は１００倍。光子の走る軌道が１．６７５×１０７ｍで、光子のエネルギーは１／１０００、軌道は１０００倍。例えば、太陽が出ている場合。地球の表面の磁気の光子は可視光であるから、軌道は約２〜４×１０−７ｍである。それで、地上１．６７５×１０５ｍで、磁気の光子の軌道は２〜４×１０−６ｍ。            １．６７５×１０６ｍで、磁気の光子の軌道は２〜４×１０−５ｍ。            １．６７５×１０７ｍで、磁気の光子の軌道は２〜４×１０−４ｍ。遠赤外線の波長は２．５×１０−５ｍ〜１０−４ｍである。軌道は１．２５×１０−５ｍ〜５×１０−３ｍである。        地上４．０２×１０６ｍで、磁気の光子の軌道は１．２５×１０−５ｍ。                １０８ｍで、磁気の光子の軌道は５×１０−３ｍ。それで、日中のプラズマ圏は地上約４．０２×１０６ｍ〜１０８ｍの範囲にある。夜の場合。地球の表面の磁気の光子の軌道は約５×１０−７ｍである。それで、地上１．６７５×１０５ｍで、磁気の光子の軌道は５×１０−６ｍ。                １．６７５×１０６ｍで、磁気の光子の軌道は５×１０−５ｍ。                １．６７５×１０７ｍで、磁気の光子の軌道は５×１０−４ｍ。                １．６７５×１０８ｍで、磁気の光子の軌道は５×１０−３ｍ。遠赤外線の軌道は１．２５×１０−５ｍ〜５×１０−３ｍである。            地上６．７×１０６ｍで、磁気の光子の軌道は１．２５×１０−５ｍであるから、夜のプラズマ圏は、６．７×１０６ｍ〜１．６７５×１０８ｍの範囲にある。従って、夜のプラズマ圏は日中のプラズマ圏の１．６７５倍の距離である。この事によって、Ｋ＝１．１２×１０９は正しい値である事が判明した。そして、地球では太陽から放出する光子と拮抗するので、Ｋ＝（１．１２×１０９）１／２で、５Ｋ＝１．６７５×１０５ｍでエネルギーは１／１０に成る事も正しい事が判明した。そして、太陽の電磁気と拮抗している事から、太陽からの電磁気を夜も昼と同じように受けている事が解った。
【請求項３２】
太陽発の光子の“走る軌道”と“光子の軌道とエネルギー”はどのようになっているか。太陽発の光子の軌道はどれ位か。地球のエネルギーは小さいので、太陽のところまで届かない。それで、太陽ではＫ＝１．１２×１０９ｍである。“走る軌道”が５Ｋ＝５．６×１０９ｍで“光子のエネルギー”は１／１０になる。太陽発の“光子の軌道”はどれ位か。地球に到着する“光子の軌道”は可視光であり２〜４×１０−７ｍである。太陽発の“光子の軌道”は約１０−１０ｍである。太陽発の“光子の軌道”をｘ×１０−１０ｍとする。太陽から５．６×１０９ｍで、光子の軌道はｘ×１０−９ｍ。        ５．６×１０１０ｍで、光子の軌道はｘ×１０−８ｍ。        ５．６×１０１１ｍで、光子の軌道はｘ×１０−７ｍ。太陽から１．５×１０１１ｍで、光子の軌道は２〜４×１０−７ｍそれで、５．６×１０１１ｍ：ｘ×１０−７ｍ＝１．５×１０−７ｍ：２〜４×１０−７ｍ２×１０−７ｍの場合。ｘ＝７．４６７４×１０−７ｍの場合。ｘ＝１４．９３よって、太陽発の光子の軌道は、７．４６７×１０−１０ｍから１．４９３×１０−９ｍである。
【請求項３３】
宇宙において、“走る軌道”と“光子の軌道とエネルギー”の関係はどのようであるか。宇宙において、Ｋ＝１．１２×１０９ｍ走ると（“走る軌道”が１．１２×１０９ｍであると）、“光子のエネルギー”は５０％になる。５Ｋ＝５．６×１０９ｍ走ると（“走る軌道が”５．６×１０９ｍであると）、“光子のエネルギーは”１０％になる。５．６×１０９ｍ走るには何秒かかるか。５．６×１０９ｍ÷（３×１０８ｍ）＝１８．７（秒）  １８．７秒かかる。即ち、光子は１８．７秒走って、自分のエネルギーを１／１０にする。これで、光子が走る時間と、光子のエネルギーの関係式ができる。Ａエネルギーの光子が走る時間をＢ秒とすると、その光子のエネルギーは、Ｅ＝Ａ×０．１×１８．７秒÷Ｂ秒＝１．８７×Ａ÷Ｂ  である。Ａエネルギーの光子が走る時間をＣ年とすると、その光子のエネルギーは、１年は３６５×２４×６０×６０＝３１５３６０００＝３．１５３６×１０７秒であるから、１．８７×Ａ÷（Ｃ×３．１５３６×１０７）＝５．９２９７３１×１０−８×Ａ÷Ｃ  である。光子が走る距離＝“走る軌道”と“光子のエネルギー”の関係は、Ａエネルギーの光子がＤｍ走るとすると、その光子のエネルギーは、Ｅ＝Ａ×０．１×５．６×１０９ｍ÷Ｄｍ＝５．６×１０８ｍ×Ａ÷Ｄ  である。即ち、“光子のエネルギー”は５．６×１０８ｍ÷“走る軌道”倍である。
【請求項３４】
光子はエネルギーを１／１０にする間に、何個の光子の輪があるか。磁気の光子は１秒間に７×１０３４個の輪を作るから、１８．７秒では、１８．７×７×１０３４個＝１．３０９×１０３６個の輪を作り、１．３０９×１０３６個の輪がある。電気の光子は１秒間に１０１９個の輪を作るから、１８．７秒では、１．８７×１０２０個の輪を作り、１．８７×１０２０個の輪がある。よって、磁気の光子は１．３０９×１０３６個の輪を経過してエネルギーは１／１０に成る。電気の光子は１．８７×１０２０個の輪を経過してエネルギーは１／１０に成る。
【請求項３５】
陽子のラブの自転軌道と公転軌道はどれだけか。陽子のラブの自転軌道は、１．１×１０−４１Ｊ・ｍ÷（１．５×１０−１０Ｊ）＝７．３３×１０−３２ｍ  である。陽子のラブの公転軌道は、０．７５×１０−２５Ｊ・ｍ÷（１．５×１０−１０Ｊ）＝５×１０−１６ｍ  である
【請求項３６】
原子の中で、陽子のラブは１秒間に何回自転し、何個の磁気の光子の輪を作り、どれ位磁気の光子の輪が放出するか。原子の中で、陽子のラブは秒速３×１０７ｍで走るとする。陽子のラブは１秒間に何自回転するか。３×１０７ｍ÷（３．１４×７．３３×１０−３２ｍ）＝１．３×１０３８（回転）陽子のラブは１秒間に１．３×１０３８回自転し、１．３×１０３８個の磁気の光子の輪を作り、１．３×１０３８個の磁気の光子の輪が放出する。
【請求項３７】
原子の中で、陽子のラブは１秒間に何回公転し、何個の電気の光子の輪を作り、どれ位電気の光子の輪が放出するか。陽子のラブは１秒間に何回公転するか。３×１０７ｍ÷（３．１４×５×１０−１６ｍ）＝１．９１×１０２２（回転）陽子のラブは１秒間に１．９×１０２２回公転し、１．９×１０２２個の電気の光子の輪を作り、１．９×１０２２個の電気の光子の輪を放出する。
【請求項３８】
陽子のラブによってできた磁気の光子の輪と輪の間隔はどれ位か。電気の光子の輪と輪の間隔はどれ位か。磁気の光子の輪と輪の間隔は、３×１０８ｍ÷（１．３×１０３８）＝２．３×１０−３０ｍ  である。電気の光子の輪と輪の間隔は、３×１０８ｍ÷（１．９１×１０２２）＝１．５７×１０−１４ｍ  である。
【請求項３９】
ラブが自転すると、その仕事エネルギーは磁気の光子の仕事エネルギーになる。ラブの自転により磁気の光子ができる原理。電子のラブが自転するとき、電子のラブの仕事エネルギーは、電子のラブが走る長さ×電子のラブの質量エネルギー＝電子のラブの自転軌道×π×電子のラブの質量エネルギー＝１．３７５×１０−２８ｍ×π×８×１０−１４Ｊ＝１．１×１０−４１Ｊ・ｍ×７π  である。磁気の光子の仕事エネルギーは、磁気の光子が走る長さ×磁気の光子のエネルギー＝磁気の光子の軌道×π×磁気の光子のエネルギー＝１．１×１０−４１Ｊ・ｍ×π  である。即ち、電子のラブが自転すると、その仕事エネルギーは磁気の光子の仕事エネルギーになる。陽子のラブが自転するとき、陽子のラブの仕事エネルギーは、陽子のラブが走る長さ×陽子のラブの質量エネルギー＝陽子のラブの自転軌道×π×陽子のラブの質量エネルギー＝７．３３×１０−３２ｍ×π×１．５×１０−１０Ｊ＝１．１×１０−４１Ｊ・ｍ×π  である。即ち、陽子のラブが自転すると、その仕事エネルギーは磁気の光子の仕事エネルギーになる。
【請求項４０】
ラブが公転すると、その仕事エネルギーは電気の光子の仕事エネルギーになる。ラブの公転により電気の光子ができる原理。電子のラブが公転するとき、電子のラブの仕事エネルギーは、電子のラブの走る長さ×電子のラブの質量エネルギー＝電子のラブの公転軌道×π×電子のラブの質量エネルギー＝９．３７５×１０−１３ｍ×π×８×１０−１４Ｊ＝０．７５×１０−２５Ｊ・ｍ×π  である。電気の光子の仕事エネルギーは、電気の光子が走る長さ×電気の光子のエネルギー＝電気の光子の軌道×π×電気の光子のエネルギー＝０．７５×１０−２５Ｊ・ｍ×π  である。即ち、電子のラブが公転すると、その仕事エネルギーは電気の光子の仕事エネルギーになる。陽子のラブが公転するとき、陽子のラブの仕事エネルギーは、陽子のラブが走る長さ×陽子のラブの質量エネルギー＝陽子のラブの公転軌道×π×陽子のラブの質量エネルギー＝０．５×１０−１５ｍ×π×１．５×１０−１０Ｊ＝０．７５×１０−２５Ｊ・ｍ×π  である。即ち、陽子のラブが公転すると、その仕事エネルギーは電子の光子の仕事エネルギーになる。
【請求項４１】
ラブは仕事したそのエネルギーを光子として放出する。３９．と４０により、ラブは仕事したエネルギーを光子として放出する。
【発明の詳細な説明】
【技術分野】
【０００１】  この発明は導線の中を自由電子が走る事によって電流ができることに関する。そして、原子から放出する電磁波に関する。
【背景技術】
【０００２】  従来、導線の中の電流は何によって、どのようにできるのか。導線の周囲の力はどのようにできるのか。物質からどのように電磁波ができるのか解明されていない。
【本発明が解決しようとする課題】
１．電流とは何か。２．電子のラブはどうして電気の光子を作るか。３．電子のラブは何によって電気の光子を作るか。４．光子とは何か。５．光子の輪はどのように広がるか６．原子から放出する光子はどうして球体となるか。７．同じ軌道を回転する電気の光子のエネルギーと、磁気の光子のエネルギーはどれ位違うか。８．原子の中で電子のラブの自転はどれ位の軌道か。原子の中で電子のラブの公転はどれ位の軌道か。９．原子の中で、電子のラブは１秒間に何回自転し、何個の磁気の光子の輪を作り、どれ位磁気の光子の輪が放出するか。１０．原子の中で、電子のラブは１秒間に何回公転し、何個の電気の光子の輪を作り、どれ位電気の光子の輪が放出するか。１１．導線の中で、１Ａではどれ位の自由電子のラブが走っているか。１２．１Ａ・１ｍで、自由電子のラブ１個が作る磁気の光子はどれ位のエネルギーか。１３．１Ａの導線１ｍにおいて、自由電子のラブから放出する磁気の光子の軌道が５×１０−７ｍであるとするならば、電子のラブから何個の磁気の光子が放出しているか。１４．１Ａの導線３×１０８ｍにおいて、５×１０−７ｍの磁気の光子はどれ位放出するか。（導線を走る電子のラブは１秒間に何回自転するか。）１５．１Ａの導線３×１０８ｍにおいて、自由電子のラブは１秒間に何回公転するか。１６．１Ａの導線を走るとき、電気の光子１個のエネルギーはどれ位か。１７．導線の中で、自由電子のラブの仕事と、自由電子のラブの公転によってできた電気の光子の仕事はつりあっている。１８．１Ａの導線から放出する磁気の光子のエネルギーをａとした場合、上記の問題はどうであるか。１９．導線には電子のラブと電気の光子が流れているのに、どうして電流計には電気の光子が走る量よりキャッチできないのか。２０．導線の中で、電子のラブの走る方向と逆方向に電流（＝電気の光子）が走るのはどうしてか。２１．光子の排斥放出と、原子の中の電子のラブでできた光子の放出はどのようになっているか。２２．地球の表面では、物質からどれ位の軌道の光子が排斥放出されているか。２３．目はどの光子を受けているのか。２４．物質は夜見えず、明るくなると見え、色が見えるのはどうしてか。２５．１原子から毎秒７×１０３４個の磁気の光子の輪が放出している事はどのようにして理解できるか。２６．空気は見えず、水は見えるのはどうしてか。２７．磁気の光子の輪の間隔はいくらか。２８．どうして光子のエネルギーは飛び飛びのエネルギーになるか。２９．どうして光子は輪＝軌道として表現されるか。３０．光子には２種類の軌道がある。３１．地球発の光子の“走る軌道”と“光子の軌道とエネルギー”はどのようになるか。３２．太陽発の光子の“走る軌道”と“光子の軌道とエネルギー”はどのようになっているか。太陽発の光子の軌道はどれ位か。３３．宇宙において、“走る軌道”と“光子の軌道とエネルギー”の関係はどのようであるか。３４．光子はエネルギーを１／１０にする間に、何個の光子の輪があるか。３５．陽子のラブの自転軌道と公転軌道はどれだけか。３６．陽子のラブは１秒間に何回自転し、何個の磁気の光子の輪を作り、どれ位磁気の光子の輪が放出するか。３７．陽子のラブは１秒間に何回公転し、何個の電気の光子の��を作り、どれ位電気の光子の輪が放出するか。３８．陽子のラブによってできた磁気の光子の輪と輪の間隔はどれ位か。電気の光子の輪と輪の間隔はどれ位か。３９．ラブが自転すると、その仕事エネルギーは磁気の光子の仕事エネルギーになる。ラブの自転により磁気の光子ができる原理。４０．ラブが公転すると、その仕事エネルギーは電気の光子の仕事エネルギーになる。ラブの公転により電気の光子ができる原理。４１．ラブは仕事したそのエネルギーを光子として放出する。
【課題を解決するための手段】
【０００４】  導線を自由電子のラブが走ると電流ができるのは、電子のラブが走って電気の光子を作っているからであると考える。電流は電気の光子が走っているものである。電子のラブはビッグバンの以前に存在したものであり、エネルギー密度の高いものである。それで、電子のラブは移動する事によって、光子を作るものであると考える。自由電子は自転し公転しながら走っているので、磁気の光子と電気の光子をつくる。磁気の光子は導線１Ａ・１ｍで導線の周囲にできる力となる。電気の光子は１Ａ・１秒で導線を走る力となる。空中は電磁気で満ちている。しかし、その事を感じない。これは物質から磁気の光子と電気の光子が放出しているからである。電子のラブはエネルギー密度の高いものであり、移動すると、そこに光子ができる。電子のラブは回転するとそこに光子の輪ができる。電子のラブの自転によって、磁気の光子の輪ができる。電子のラブの公転によって電気の光子の輪ができる。物質から光子が放出している事はどうして理解できるか。夜行性の動物は夜月が出ないときでも見える。これは物質から光子が放出しているからである。テレビから常に光子が放出しなければ見えない。見ているのは（目に受けているのは）物質から常に放出されている光子である。それでは、物質から放出した光子の輪はどのように拡大するのか光子の輪は光速で走る。走ってエネルギーを減少させる。光子の輪の１点に光子１個が居る。その光子は半回転しながら波のように走る。光子の輪のエネルギーはこの波に現れる。光子１個の波は波長であり、軌道の２倍である。光子１個のエネルギーは光子の波長（２×軌道）で解る。光子の輪のエネルギーは光子１個のエネルギーとして理解できる。光子の輪は光速で走って、エネルギーを減少させる。宇宙では、５Ｋ＝５．６×１０９ｍ走って１／１０のエネルギーになる。地球では、１．６７５×１０５ｍ走って１／１０のエネルギーになる。ラブは自転し仕事をする。この仕事エネルギーが磁気の光子の仕事エネルギーと成る。ラブは公転し仕事をする。この仕事エネルギーが電気の光子の仕事エネルギーに成る。ラブは仕事したエネルギーを光子として放出する。
【発明の実施態様】
【０００５】１．電流とは何か。導線の中を自由電子が走ったとき電流ができるのは、電子のラブが走って電気の光子ができるからである。電気の光子が走る事を電流という。２．電子のラブはどうして電気の光子を作るか。電子のラブはビッグバンの以前にできた超高エネルギー体である。それで、超高エネルギー体である電子のラブが走ると電気の光子ができる。考える。３．電子のラブは何によって電気の光子を作るか。何によって磁気の光子を作るか。図１．図２．電子のラブは公転により電気の光子を作る。電子のラブは自転により磁気の光子を作る。原子の中で、電子のラブは公転により電気の光子の輪を作る。１公転により１つの電気の光子の輪を作る。原子の中で、電子のラブは自転により磁気の光子の輪を作る。１自転により１つの磁気の光子の輪を作る。自由電子のラブは導線を走るとき、自転し公転しながら走っているので、磁気の光子の輪と電気の光子の輪を作っている。磁気の光子の輪は導線の外に出る。電気の光子の輪は導線の中をらせん状に走る。これが電流である。電子のラブが自転する力（エネルギー）は小さい。それで、その跡に小さいエネルギーの光子ができる。電子のラブが公転する力（エネルギー）は大きい。それで、その跡に大きいエネルギーの光子ができる。４．光子とは何か。図３．光子には２種類ある。１つはラブの自転によってできる磁気の光子の輪である。磁気の光子の輪にはエネルギーがある。このエネルギーが磁気の光子のエネルギーである。これが磁気の光子１個のエネルギーである。１つはラブの公転によってできる電気の光子の輪である。電気の光子の輪にはエネルギーがある。これが電気の光子１個のエネルギーである。自由電子のラブが導線を走るときも、電子のラブは自転し、公転しながら走る。それで、磁気の光子の輪と電気の光子の輪を作っている。５．光子の輪はどのように広がるか。図３．▲１▼電気の光子と磁気の光子は輪の状態で拡大する。▲２▼輪にはエネルギーがある。▲３▼輪の１点に１個の光子がある。▲４▼輪のエネルギーは光子１個のエネルギーである。  光子１個のエネルギーは輪のエネルギーである。▲５▼光子１個は波型に走る。▲６▼光子１個のエネルギーは波型（波長）に現れる。▲７▼光子１個のエネルギーは、電気の光子のエネルギー＝０．７５×１０−２５Ｊ・ｍ÷（波長÷２）。磁気の光子のエネルギー＝１．１×１０−４１Ｊ・ｍ÷（波長÷２）  である。６．原子から放出する光子はどうして球体となるか。電子のラブの公転は地球の自転方向であり、電気の光子の回転は電子のラブと逆方向である。それで、電気の光子は横回転である。磁気の光子は電子のラブをクロス回転し、縦回転である。原子の中で、横回転の電気の光子と、縦回転の磁気の光子ができる。電気の光子の軌道と磁気の光子軌道が同じ大きさであると、回転する軌道は同じ軌道である。同じ軌道を横回転し、縦回転する。同じ軌道で、電気の光子と磁気の光子は回転している。同じ軌道で、電気の光子は横回転し、磁気の光子は縦回転し、全体として球状の回転体となっている。７．同じ軌道を回転する電気の光子のエネルギーと、磁気の光子のエネルギーはどれ位違うか。電気の光子のエネルギーは０．７５×１０−２５Ｊ・ｍ÷軌道  ��あり、磁気の光子のエネルギーは１．１×１０−４１Ｊ・ｍ÷軌道である。同じ軌道を回転する電気の光子のエネルギーは磁気の光子のエネルギーの、０．７５×１０−２５÷（１．１×１０−４１）＝６．８１８×１０１５  倍である。８．原子の中で電子のラブの自転はどれ位の軌道か。原子の中で電子のラブの公転はどれ位の軌道か。電子のラブの自転の軌道は、磁気の光子のエネルギーの式により求められる。電子のラブの自転の軌道は、１．１×１０−４１Ｊ・ｍ÷（８×１０−１４Ｊ）＝１．３７５×１０−２８ｍ  １．３７５×１０−２８ｍである。電子のラブの公転の軌道は、原子のエネルギーの式により求められる。電子のラブの公転の軌道は、０．７５×１０−２５Ｊ・ｍ÷（８×１０−１４Ｊ）＝０．９３７５×１０−１２ｍ  ０．９３７５×１０−１２ｍである。９．原子の中で、電子のラブは１秒間に何回自転し、何個の磁気の光子の輪を作り、どれ位磁気の光子の輪が放出するか。特願２００２−３６０００６において、
【請求項３】
軌道のエネルギーと引力のマップを作った時、原子の中の光速を３×１０７ｍとしたら、正確なマップができた。それで、原子の中の、陽子、中性子、電子の速度は３×１０７ｍであるとする。電子のラブは１秒間に何回自転するか。３×１０７ｍ÷（３．１４×１．３７５×１０−２８ｍ）＝６．９４８×１０３４（回転）電子のラブは１秒間に約７×１０３４回自転し、７×１０３４個の磁気の光子の輪を作っている。１秒間に７×１０３４個の磁気の光子の輪が放出している。１０．原子の中で、電子のラブは１秒間に何回公転し、何個の電気の光子の輪を作り、どれ位電気の光子の輪が放出するか。電子のラブは１秒間に何回公転するか。原子の中では、電子のラブの秒速は３×１０７ｍとする。３×１０７ｍ÷（３．１４×０．９３７５×１０−１２ｍ）＝１．０１９×１０１９（回転）原子の中で、電子のラブは１秒間に約１０１９回公転し、約１０１９個の電気の光子の輪を作っている。１秒間に１０１９個の電気の光子の輪が放出している。１１．導線の中で、１Ａではどれ位の自由電子のラブが走っているか。電子のラブは１秒間走って、８×１０−１４Ｊの仕事をする粒子です。この事に関しては，特願２００２−３６０００６に記した。それで、導線を走る自由電子のラブは、９．４８７×１０４Ｎ÷（８×１０−１４Ｊ・ｍ）＝１．１８５８７５×１０１８約１．２×１０１８個の電子のラブが導線の中を走っている。１２．１Ａ・１ｍで、自由電子のラブ１個が作る磁気の光子はどれ位のエネルギーか。ＩＡ・１ｍで、磁気の光子は４．４７２×１０−４Ｊできる。それは１．１８５８×１０１８個の自由電子のラブによって作られる。それで、自由電子のラブ１個で作る磁気の光子のエネルギーは、４．４７２×１０−４Ｊ÷（１．１８５８×１０１８個）＝３．７７×１０−２２Ｊ  です。１３．１Ａの導線１ｍにおいて、自由電子のラブから放出する磁気の光子の軌道が５×１０−７ｍであるとするならば、自由電子のラブ１個から何個の磁気の光子が放出しているか。１９番において地球の表面では５×１０−７ｍの光子が放出すると理解したのでこの値とする。５×１０−７ｍの磁気の光子のエネルギーは、１．１×１０−４１Ｊ・ｍ÷（５×１０−７ｍ）＝２．２×１０−３５Ｊ  です。この磁気の光子が何個放出しているか。３．７７×１０−２２Ｊ÷（２．２×１０−３５Ｊ）＝１．７１×１０１３個１．７１×１０１３個放出している。１４．１Ａの導線３×１０８ｍにおいて、５×１０−７ｍの磁気の光子はどれ位放出するか。（導線を走る電子のラブは１秒間に何回自転するか。）１Ａ・１ｍで１．７１×１０１３個放出するのであるから、１Ａ・３×１０８ｍでは、１．７１×１０１３個×３×１０８ｍ＝５．１３×１０２１個  放出する。即ち、導線を走る自由電子のラブは、１秒間に５．１３×１０２１回自転する。１５．１Ａの導線３×１０８ｍにおいて、自由電子のラブは１秒間に何回公転するか。導線を走る自由電子は１秒間に５．１３×１０２１回自転する。原子の中では、電子のラブは１秒間に、自転は７×１０３４回、公転は１×１０１９回です。この割合で自転と公転が行われるとして、導線で、走りながら行われる公転をＸ回とすると、７×１０３４：１０１９＝５．１３×１０２１：Ｘ  Ｘ＝７．��３×１０５１Ａの導線を電子のラブが走るとき、１秒間に７．３３×１０５回公転している。それで、電子のラブは１Ａの導線を１秒走ると、７．３３×１０５回公転し、７．３３×１０５個の電気の光子を作っている。１６．１Ａの導線を走るとき、電気の光子１個のエネルギーはどれくらいか。１Ａの導線には、１．１８５８×１０１８個の電子のラブが走っており、電子のラブ１個から７．３３×１０５個の電気の光子ができます。できる電気の光子１個のエネルギーをＹとすると、１．１８５８×１０１８×７．３３×１０５×Ｙ＝９．４８７×１０４Ｊ  Ｙ＝１．０９１４×１０−１９Ｊ電気の光子１個のエネルギーは１．０９１４×１０−１９Ｊです。この軌道は、０．７５×１０−２５Ｊ・ｍ÷（１．０９１４×１０−１９Ｊ）＝６．８７×１０−７ｍ  です。波長はこの２倍で、２×６．８７×１０−７ｍ＝１．３７４×１０−６ｍです。即ち、１Ａ・１ｍの導線から放出する磁気の光子の軌道を５×１０−７ｍとすると、導線にできる電気の光子１個のエネルギーは１．０９１４×１０−１９Ｊで、軌道は６．８７×１０−７ｍで、波長は１．３７４×１０−６ｍです。１７．導線の中で、自由電子のラブの仕事と、自由電子のラブの公転によってできた電気の光子の仕事はつりあっている。自由電子のラブの仕事は、電子のラブが１秒走ってする仕事×自由電子の数＝８×１０−１４Ｊ×１．１８５８７５×１０１８個＝９．４８７×１０４Ｊ  です。電気の光子の仕事は、電子のラブの数×１個の電子のラブから放出する電気の光子の数×１個の電気の光子のエネルギー＝１．１８５８７５×１０１８個×７．３３×１０５個×１．０９１４×１０−１９Ｊ＝９．４８７×１０４Ｊよって、自由電子のラブの仕事と自由電子のラブの公転によってできた電気の光子の仕事は等しい。１８．１Ａの導線から放出する磁気の光子のエネルギーをａとした場合、上記の問題はどうであるか。１Ａの導線から放出する磁気の光子のエネルギーをａとする。１Ａ・１ｍにおいて、磁気の光子は何個放出するか。４．４７２×１０−４Ｊ÷（１．１８５８×１０１８個）÷ａ＝３．７７×１０−２２Ｊ÷ａ  個放出する。自由電子のラブは１Ａ・１ｍでは、３．７７×１０−２２Ｊ÷ａ回自転し、３．７７×１０−２２Ｊ÷ａ個の輪の磁気の光子を作る。１Ａ・３×１０８ｍでは何個放出するか。３．７７×１０−２２Ｊ÷ａ×３×１０８ｍ＝１．１３１×１０−１３÷ａ  個放出する。自由電子のラブは１Ａ・３×１０８ｍでは、１．１３１×１０−１３÷ａ回自転し、１．１３１×１０−１３÷ａ個の輸の磁気の光子を作る。原子の中で、電子のラブは１秒間に７×１０３４回自転し、３．２×１０１９回公転する。この割合で、導線を走っている時も回転するとする。導線での公転はどれ位か。公転をＸ回転とする。７×１０３４：１０１９＝１．１３１×１０−１３÷ａ：Ｘ  Ｘ＝１．６１６×１０−２９÷ａ  回公転する。自由電子のラブは１Ａ・３×１０８ｍでは１．６１６×１０−２９÷ａ回公転し、１．６１６×１０−２９÷ａ個の電気の光子を作る。導線を流れる電気の光子１個のエネルギーをＥとする。９．４８７×１０４Ｊ＝１．１８５８×１０１８個×１．６１６×１０−２９÷ａ×ＥＥ＝４．９５０８×１０１５×ａこの式によって、導線１Ａ・１ｍから放���する磁気の光子１個の軌道（波長）が解ったら、電気の光子１個のエネルギーも解る。○仮に、放出する磁気の光子を可視光３×１０−７ｍの軌道とすると、このエネルギーは、１．１×１０−４１Ｊ・ｍ÷（３×１０−７ｍ）＝３．６７×１０−３５Ｊ  であり、電気の光子のエネルギーは、４．９５０８×１０１５×３．６７×１０−３５Ｊ＝１．８１６９４×１０−１９Ｊです。この軌道は、０．７５×１０−２５Ｊ・ｍ÷（１．８１６９４×１０−１９Ｊ）＝４．１２７８×１０−５ｍ  です。波長は、８．２５６×１０−５ｍです。導線を走るときの１Ａ・１ｍでは、磁気の光子は何回自転し、何個放出するか。３．７７×１０−２２Ｊ÷（３．６７×１０−３５Ｊ）＝１．０２７×１０１３  回自転し、同個放出する。導線を走る時１Ａ・３×１０８ｍでは、磁気の光子は何回自転し、何個放出するか。１．０２７×１０１３×３×１０８＝３．０８１×１０２１  回自転し、同個放出する。導線１Ａ・３×１０８ｍでは、公転はどれ位か。電気の光子は何個できるか。１．６１６×１０−２９÷（３．６７×１０−３５）＝４．４×１０５  回公転し、同個できる。それで、１Ａ・１ｍでできる磁気の光子のエネルギーは、３．６７×１０−３５Ｊ×１．０２７×１０１３個×１．１８５８×１０１８個＝４．４７×１０−４Ｊ．  です。それで、１Ａ・３×１０８ｍでできる電気の光子のエネルギーは、１．８１６９４×１０−１９Ｊ×４．４×１０５個×１．１８５８×１０１８個＝９．４８×１０４Ｊ  です。１９．導線には電子のラブと電気の光子が流れているのに、どうして電流計には電気の光子が走る量よりキャッチできないのか。それは、電子のラブは余りにも小さいのでキャッチできないからです。２０．導線の中で、電子のラブの走る方向と逆方向に電流（＝電気の光子）が走るのはどうしてか。図５．電気の光子はエネルギーの小さい方向に走る。例えば、原子の中で、電気の光子は電子のラブの公転よりエネルギーの小さな遠く離れた方向に走る。このように、電気の光子は電子のラブよりエネルギーの小さな遠く離れた方向に走るので、電子のラブの走る方向と逆の方向に走る。２１．光子の排斥放出と原子の中の電子のラブでできた光子の放出はどのようになっているか。図６．物質の分子の外側を回転する光子は、周囲の高エネルギーの光子により追い出される。物質の分子の外側を回転している光子より周囲の光子のエネルギーが大きければ（軌道は小さければ）、物質の外側の軌道の光子はエネルギーが小さいのでその場に居られずその場を抜け出す。これが光子の排斥放出である。より大きなエネルギーの光子により、それよりエネルギーの小さな光子は追い出される現象を光子の排斥放出という。しかし、分子の軌道で、追い出されない軌道がある。分子との結合が強く、周囲の光子によって排斥されない軌道がある。この軌道から、原子の中の電子のラブによってできた光子が放出する。毎秒７×１０３４個の輪の磁気の光子が放出する。毎秒１０１９個の輪の電気の光子が放出する。２２．地球の表面では物質からどれ位の軌道の光子が排斥放出されているか。夜行性の動物は月が出ていなくても、見える。これは物質から光子が排斥放出されているからです。１秒間に、磁気の光子は７×１０３４個の輪が放出しています。電気の光子は１０１９個の輪が放出しています。この放出する磁気の光子の輪を目に受けて、夜行性の動物は物質を見る事ができます。それでは、夜行性の動物はどれ位の軌道の（波長の）光子を受けているのでしょうか。夜行性の動物が受けている光子の波長は、物質から放出している光子である。この光子は可視光より小さいエネルギーである。それで、この光子の軌道を５×１０−７ｍと推定する。それで、地球の表面では常に、１原子から電子のラブの自転によってできた磁気の光子が放出している。５×１０−７ｍの軌道の磁気の光子が毎秒７×１０３４個の輪となって放出している。５×１０−７ｍの軌道の電気の光子が１０１９個の輪となって放出している。２３．目はどの光子を受けているのか。図７地球の表面では約５×１０−７ｍの軌道の光子が原子から放出している。夜行性の動物の目はこの光子を受ける。日光により５×１０−７ｍの光子は排斥される。日光により排斥されない分子の軌道がある。この徘斥されない分子の軌道から、原子の中の電子のラブによってできる磁気の光子が毎秒７×１０３４個の輪で、電気の光子が１０９個の輪で放出する。目はこの輪の磁気の光子と電気の光子をを受けている。例えば、葉の葉緑体の分子は、日光によって排斥されない軌道は、２．５×１０−７ｍである。それで、葉緑体の原子の中の電子のラブによってできる磁気の光子は２．５×１０−７ｍの軌道で放出する。波長５×１０−７ｍの磁気の光子が毎秒７×１０３４個の輪で、電気の光子が１０１９個の輪で放出する。目はこの輪を受ける。２４．物質は夜見えず、明るくなると見え、色が見えるのはどうしてか。これは
【請求項１８・２０】
と重複する。図７．夜、物質からは常に可視光より低エネルギーの５×１０−７ｍの光子が放出している。これは目に見えない。太陽や電灯などの大きなエネルギーの光子が当たると物質は見える。▲１▼太陽や電灯の光子は可視光の中でも、最も大きなエネルギーの光子で、軌道は最も小さい。▲２▼太陽や電灯の光子により排斥される光子は、物質の分子の外側を回転している光子で、太陽や電灯の光子の軌道より大きい軌道の光子である。▲３▼しかし、物質の分子の外側の光子の結合力が大きい場合、それ以上小さい軌道の光子は排斥放出されない。▲４▼物質の分子の原子の電子のラブによってできた磁気の光子は、その排斥されない軌道で放出する。例えば葉の場合。夜、葉の分子から５×１０−７ｍの光子は次々放出している。１原子から毎秒７×１０３４軌道＝輪の光子が放出している。この光子は見えない。葉の周囲が明るくなると、その場の光子は、葉の分子の外側を回転しているエネルギーの小さな光子を排斥放出する。しかし、葉の葉緑体の分子の結合力の大きい光子は排斥されない。葉緑体の分子の結合力の大きな光子の軌道は２．５×１０−７ｍである。それで、葉から、２．５×１０−７ｍの軌道の光子が次々放出する。原子の中の電子のラブの自転によってできた磁気の光子が次々放出する。原子の中の電子のラブの公転によってできた電気の光子が次々放出する。１原子から毎秒７×１０３４個の磁気の光子の輪が放出する。１原子から毎秒１０１９個の電気の光子の輪が放出する。目は５×１０−７ｍの波長の光子を次々受けて緑の葉として感受する。２５．１原子から毎秒７×１０３４個の磁気の光子の輪が放出していることはどのようにして理解できるか。人間が目に見えるということは、目は物質から次々放出する磁気の光子を受けていることである。物質から次々磁気の光子が出発しなければ、磁気の光子は次々目に当たらないので見えない。見えるという事は、物質から次々放出する磁気の光子があるということである。見える事によって、物質から次々放出する磁気の光子があることが理解できる。この事はテレビによって理解できる。テレビの呼び出されている画素は、フォトダイオードと微小コンデンサーが並列接続になっていて、光子は常に放出しています。光子は常に放出しなければ、目に受けた時物を見る事ができません。この事によって、見えるためには、常に光子が放出していなければいけません。夜行性の動物が物を見ることができるのは、物から常に光子が放出しているからです。よって、物質から次々光子は出発（放出）しています。２６．空気は見えず、水は見えるのはどうしてか。空気の比重は水の約１／１０００です。分子の量は空気は水の１／１０００です。それで、分子から放出する光子の量は、空気は水の１／１０００です。放出する光子の量が１／１０００で、目に受ける光子の量も１／１０００であり、刺激も１／１０００なので、目は空気の光子を感受できない。目は放出される光子の数（量）が少ないと見えない。よって、見えるという事は放出される光子の量が多い事です。光子の量が１／１０００になると見えないという事です。２７．磁気の光子の輪の間隔はいくらか。電気の光子の輪の間隔はいくらか。磁気の光子の輪は１秒間の間��７×１０３４個できるから、輪と輪の間隔は、３×１０８ｍ÷（７×１０３４個）＝４．８５×１０−２７ｍ。輪と輪の間隔は４．８５×１０−２７ｍです。電気の光子の輪は１秒間に１０１９個できるから、輪と輪の間隔は、３×１０８ｍ÷１０１９個＝３×１０−１１ｍ。輪と輪の間隔は３×１０−１１ｍです。２８．どうして光子のエネルギーは飛び飛びのエネルギーになるか。図８．光子の輪はラブの回転によってできる。それで、光子の輪は渦巻状にできる。渦巻状の回転を１方向から見ると、電子のラブの自転によってできた輪の間隔は約５×１０−２７ｍ離れている。それで、光子のエネルギーは飛び飛びである。２９．どうして光子は輪＝軌道として表現されるか。図９．ラブの自転及び公転によって、回転は渦巻状にできる。中央からカットすると、渦巻は軌道として認識できる。それで、渦巻であるが軌道として認識する。３０．光子には２種類の軌道がある。１つは光子がエネルギーを持って、１個の粒子として回転する軌道である。磁気の光子の軌道＝１．１×１０−４１Ｊ・ｍ÷エネルギー。電気の光子の軌道＝０．７５×１０−２５Ｊ・ｍ÷エネルギー。の式で計算される軌道である。１つは光子が走って自分の輪を大きくする軌道である。１秒走って２×３×１０８ｍの軌道になる軌道である。光子の粒子の軌道を“光子の軌道”＝“光子の軌道とエネルギー”と名づける。光子が走ってできる軌道を“走る軌道”と名づける。“走る軌道”は光子が走る距離で現すと便利であるから“走る軌道＝光子が走る距離”として考える。３１．地球発の光子の“走る軌道”と“光子の軌道とエネルギー”はどのようになるか。図１０．Ｋ＝１．１２×１０９ｍとする。（これについては、特願２００４−２４７５７４の
【請求項１０】
に記した。）太陽と地球の間のＫは、（１．１２×１０９）１／２ｍ＝３．３５×１０４ｍである。それで、“走る軌道”は５Ｋ＝１．６７５×１０４ｍ大きくなると、“光子の軌道とエネルギー”のエネルギーは１／１０になり、軌道は１０倍になる。それで、地球の地表から出発する光子の“走る軌道”と“光子の軌道エネルギー”は、光子の走る軌道が１．６７５×１０５ｍで、光子のエネルギーは１／１０、軌道は１０倍。光子の走る軌道が１．６７５×１０６ｍで、光子のエネルギーは１／１００、軌道は１００倍。光子の走る軌道が１．６７５×１０７ｍで、光子のエネルギーは１／１０００、軌道は１０００倍。例えば、太陽が出ている場合。地球の表面の磁気の光子は可視光であるから、軌道は約２〜４×１０−７ｍである。それで、地上１．６７５×１０５ｍで、磁気の光子の軌道は２〜４×１０−６ｍ。            １．６７５×１０６ｍで、磁気の光子の軌道は２〜４×１０−５ｍ。            １．６７５×１０７ｍで、磁気の光子の軌道は２〜４×１０−４ｍ。遠赤外線の波長は２．５×１０−５ｍ〜１０−４ｍである。軌道は１．２５×１０−５ｍ〜５×１０−３ｍである。        地上４．０２×１０６ｍで、磁気の光子の軌道は１．２５×１０−５ｍ。            １０８ｍで、磁気の光子の軌道は５×１０−３ｍ。それで、日中のプラズマ圏は地上約４．０２×１０６ｍ〜１０８ｍの範囲にある。夜の場合。地球の表面の磁気の光子の軌道は約５×１０−７ｍである。それで、地上１．６７５×１０５ｍで、磁気の光子の軌道は５×１０−６ｍ。            １．６７５×１０６ｍで、磁気の光子の軌道は５×１０−５ｍ。            １．６７５×１０７ｍで、磁気の光子の軌道は５×１０−４ｍ。            １．６７５×１０８ｍで、磁気の光子の軌道は５×１０−３ｍ。遠赤外線の軌道は１．２５×１０−５ｍ〜５×１０−３ｍである。        地上６．７×１０６ｍで、磁気の光子の軌道は１．２５×１０−５ｍであるから、夜のプラズマ圏は、６．７×１０６ｍ〜１．６７５×１０８ｍの範囲にある。従って、夜のプラズマ圏は日中のプラズマ圏の１．６７５倍の距離である。この事によって、Ｋ＝１．１２×１０９は正しい値である事が判明した。そして、地球では太陽から放出する光子と拮抗するので、Ｋ＝（１．１２×１０９）１／２で、５Ｋ＝１．６７５×１０５ｍでエネルギーは１／１０に成る事も正しい事が判明した。そして、太陽の電磁気と拮抗している事から、太陽からの電磁気を夜も昼と同じように受けている事が解った。３２．太陽発の光子の軌道は“走る軌道”と“光子の軌道とエネルギー”はどのようになっているか。太陽発の光子の軌道はどれ位か。地球のエネルギーは小さいので、太陽のところまで届かない。それで、太陽ではＫ＝１．１２×１０９ｍである。“走る軌道”が５Ｋ＝５．６×１０９ｍで“光子のエネルギー”は１／１０になる。太陽発の“光子の軌道”はどれ位か。地球に到着する“光子の軌道”は可視光であり２〜４×１０−７ｍである。太陽発の“光子の軌道”は約１０−１０ｍである。太陽発の“光子の軌道”をｘ×１０−１０ｍとする。太陽から５．６×１０９ｍで、光子の軌道はｘ×１０−９ｍ。        ５．６×１０１０ｍで、光子の軌道はｘ×１０−８ｍ。        ５．６×１０１１ｍで、光子の軌道はｘ×１０−７ｍ。太陽から１．５×１０１１ｍで、光子の軌道は２〜４×１０−７ｍそれで、５．６×１０１１ｍ：ｘ×１０−７ｍ＝１．５×１０−７ｍ：２〜４×１０−７ｍ２×１０−７ｍの場合。ｘ＝７．４６７４×１０−７ｍの場合。ｘ＝１４．９３よって、太陽発の光子の軌道は、７．４６７×１０−１０ｍから１．４９３×１０−９ｍである。３３．宇宙において、“走る軌道”と“光子の軌道とエネルギー”の関係はどのようであるか。図１１．宇宙において、Ｋ＝１．１２×１０９ｍ走ると（“走る軌道”が１．１２×１０９ｍであると）、“光子のエネルギー”は５０％になる。５Ｋ＝５．６×１０９ｍ走ると（“走る軌道が”５．６×１０９ｍであると）、“光子のエネルギーは”１０％になる。５．６×１０９ｍ走るには何秒かかるか。５．６×１０９ｍ÷（３×１０８ｍ）＝１８．７  （秒）  １８．７秒かかる。即ち、光子は１８．７秒走って、自分のエネルギーを１／１０にする。これで、光子が走る時間と、光子のエネルギーの関係式ができる。Ａエネルギーの光子が走る時間をＢ秒とすると、その光子のエネルギーは、Ｅ＝Ａ×０．１×１８．７秒÷Ｂ秒＝１．８７×Ａ÷Ｂ  である。Ａエネルギーの光子が走る時間をＣ年とすると、その光子のエネルギーは、１年は３６５×２４×６０×６０＝３１５３６０００＝３．１５３６×１０７秒であるから、１．８７×Ａ÷（Ｃ×３．１５３６×１０７）＝５．９２９７３１×１０−８×Ａ÷Ｃ  である。光子が走る距離＝“走る軌道”と“光子のエネルギー”の関係は、Ａエネルギーの光子がＤｍ走るとすると、その光子のエネルギーは、Ｅ＝Ａ×０．１×５．６×１０９ｍ÷Ｄｍ＝５．６×１０８ｍ×Ａ÷Ｄ  である。即ち、“光子のエネルギー”は５．６×１０８ｍ÷“走る軌道”倍である。３４．光子はエネルギーを１／１０にする間に、何個の光子の輪があるか。図１１．磁気の光子は１秒間に７×１０３４個の輪を作るから、１８．７秒では、１８．７×７×１０３４個＝１．３０９×１０３６個の輪を作り、１．３０９×１０３６個の輪がある。電気の光子は１秒間に１０１９個の輪を作るから、１８．７秒では、１．８７×１０２０個の輪を作り、１．８７×１０２０個の輪がある。よって、磁気の光子は１．３０９×１０３６個の輪を経過してエネルギーは１／１０に成る。電気の光子は１．８７×１０２０個の輪を経過してエネルギーは１／１０に成る。３５．陽子のラブの自転軌道と公転軌道はどれだけか。陽子のラブの自転軌道は、１．１×１０−４１Ｊ・ｍ÷（１．５×１０−１０Ｊ）＝７．３３×１０−３２ｍ  である。陽子のラブの公転軌道は、０．７５×１０−２５Ｊ・ｍ÷（１．５×１０−１０Ｊ）＝５×１０−１６ｍ  である３６．原子の中で、陽子のラブは１秒間に何回自転し、何個の磁気の光子の輪を作り、どれ位磁気の光子の輪が放出するか。原子の中で、陽子のラブは秒速３×１０７ｍで走るとする。陽子のラブは１秒間に何自回転するか。３×１０７ｍ÷（３．１４×７．３３×１０−３２ｍ）＝１．３×１０３８（回転）陽子のラブは１秒間に１．３×１０３８回自転し、１．３×１０３８個の磁気の光子の輪を作り、１．３×１０３８個の磁気の光子の輪が放出する。３７．原子の中で、陽子のラブは１秒間に何回公転し、何個の電気の光子の��を作り、どれ位電気の光子の輪が放出するか。陽子のラブは１秒間に何回公転するか。３×１０７ｍ÷（３．１４×５×１０−１６ｍ）＝１．９１×１０２２（回転）陽子のラブは１秒間に１．９×１０２２回公転し、１．９×１０２２個の電気の光子の輪を作り、１．９×１０２２個の電気の光子の輪を放出する。３８．陽子のラブによってできた磁気の光子の輪と輪の間隔はどれ位か。電気の光子の輪と輪の間隔はどれ位か。磁気の光子の輪と輪の間隔は、３×１０８ｍ÷（１．３×１０３８）＝２．３×１０−３０ｍ  である。電気の光子の輪と輪の間隔は、３×１０８ｍ÷（１．９１×１０２２）＝１．５７×１０−１４ｍ  である。３９．ラブが自転すると、その仕事エネルギーは磁気の光子の仕事エネルギーになる。ラブの自転により磁気の光子ができる原理。図１２．電子のラブが自転するとき、電子のラブの仕事エネルギーは、電子のラブが走る長さ×電子のラブの質量エネルギー＝電子のラブの自転軌道×π×電子のラブの質量エネルギー＝１．３７５×１０−２８ｍ×π×８×１０−１４Ｊ＝１．１×１０−４１Ｊ・ｍ×π  である。磁気の光子の仕事エネルギーは、磁気の光子が走る長さ×磁気の光子のエネルギー＝磁気の光子の軌道×π×磁気の光子のエネルギー＝１．１×１０−４１Ｊ・ｍ×π  である。即ち、電子のラブが自転すると、その仕事エネルギーは磁気の光子の仕事エネルギーになる。陽子のラブが自転するとき、陽子のラブの仕事エネルギーは、陽子のラブが走る長さ×陽子のラブの質量エネルギー＝陽子のラブの自転軌道×π×陽子のラブの質量エネルギー＝７．３３×１０−３２ｍ×π×１．５×１０−１０Ｊ＝１．１×１０−４１Ｊ・ｍ×π  である。即ち、陽子のラブが自転すると、その仕事エネルギーは磁気の光子の仕事エネルギーになる。４０．ラブが公転すると、その仕事エネルギーは電気の光子の仕事エネルギーになる。ラブの公転により電気の光子ができる原理。図１２．電子のラブが公転するとき、電子のラブの仕事エネルギーは、電子のラブの走る長さ×電子のラブの質量エネルギー＝電子のラブの公転軌道×π×電子のラブの質量エネルギー＝９．３７５×１０−１３ｍ×π×８×１０−１４Ｊ＝０．７５×１０−２５Ｊ・ｍ×π  である。電気の光子の仕事エネルギーは、電気の光子が走る長さ×電気の光子のエネルギー＝電気の光子の軌道×π×電気の光子のエネルギー＝０．７５×１０−２５Ｊ・ｍ×π  である。即ち、電子のラブが公転すると、その仕事エネルギーは電気の光子の仕事エネルギーになる。陽子のラブが公転するとき、陽子のラブの仕事エネルギーは、陽子のラブが走る長さ×陽子のラブの質量エネルギー＝陽子のラブの公転軌道×π×陽子のラブの質量エネルギー＝０．５×１０−１５ｍ×π×１．５×１０−１０Ｊ＝０．７５×１０−２５Ｊ・ｍ×π  である。即ち、陽子のラブが公転すると、その仕事エネルギーは電子の光子の仕事エネルギーになる。４１．ラブは仕事したそのエネルギーを光子として放出する。３９．と４０により、ラブは仕事したエネルギーを光子として放出する。
【発明の効果】
【０００６】１．ラブが自転する事によって、磁気の光子ができる原理は、ラブの自転の仕事エネルギ    ーが磁気の光子の仕事エネルギーになるためである。２．ラブが公転する事によって、電気の光子ができる原理は、ラブの公転の仕事エネルギ    ーが電気の光子の仕事エネルギーになるためである。３．１から４０まで記した事がこの発明の効果である。
【図面の簡単な説明】
【図１】原子の中で、電子のラブは公転により電気の光子を作り、自転により磁気の光子を作る。
【図２】導線の中で、自由電子のラブは自転し公転しながららせん状に走るので、自転により磁気の光子ができ、公転により電気の光子ができる。磁気の光子の輪は導線の外に出る。電気の光子は導線の中をらせん状に走る。
【図３】電気の光子１個のエネルギーが輪（走る軌道）のエネルギーです。磁気の光子１個のエネルギーが輪（走る軌道）のエネルギーです。
【図４】電気の光子は電子のラブと逆の方向の回転で，横回転。磁気の光子は縦回転。同じ軌道を電気の光子は横回転し、磁気の光子は縦回転する。それで球体と成る。
【図５】原子で、電気の光子は電子のラブからエネルギーの小さいほうに走る。導線の中で、電気の光子は電子のラブが走る方向は高エネルギーなので、エネルギーの小さい方向に走る。
【図６】物質の分子の周囲を回転する光子は周囲の高エネルギーの光子により排斥される。分子との結合が強く周囲の高エネルギーの光子によって排斥されない軌道がある。この軌道から原子の中でできた光子が放出する。
【図７】地表の軌道を５×１０−７ｍとすると、夜、原子の中でできた光子は５×１０−７ｍの光子で放出している。夜行性の動物は５×１０−７ｍの光子を受ける。高エネルギーの光子によって分子の外側の光子は排斥される。分子との結合力が強く高エネルギーの光子によって排斥されない軌道がある。この軌道から原子の中でできた光子は放出する。この光子を目は受ける。
【図８】渦巻状の回転を１方向から見ると、輪の間隔は５×１０−２７ｍ離れている。
【図９】渦巻状の回転を中央からカットすると渦巻きは軌道として見なされる。
【図１０】地球では、光子は５Ｋ＝１．６７５×１０４ｍ走ると、エネルギーは１／１０になる。太陽が出ている場合、地球から出発する磁気の光子は２〜４×１０−７ｍ。夜は５×１０−７ｍです。それで、遠赤外線で軌道１．２５×１０−５ｍの光子が存在する上空は、昼は地上４．０２×１０６ｍで、夜は地上６．７×１０６ｍです。
【図１１】宇宙で、光子は５Ｋ＝５．６×１０９ｍ、１８．７秒走ると、エネルギーは１／１０になる。この間に、電子のラブによってできた磁気の光子の輪は１．３１×１０３６個あり、電気の光子の輪は１．８７×１０２０個ある。
【図１２】ラブの自転軌道×π×ラブの質量エネルギー＝磁気の光子の軌道×π×磁気の光子のエネルギーです。ラブの公転軌道×π×ラブの質量エネルギー＝電気の光子の軌道×π×電気の光子のエネルギーです。
【符号の説明】
１  電子のラブ      ２  電子のラブの自転軌道      ３  電子のラブの公転軌道４  磁気の光子      ５  電気の光子      ６  導線      ７  自転      ８  公転９  磁気の光子の輪      １０  電気の光子はらせん状に走る。      １１  波長１３  磁気の光子１個のエネルギーが磁気の光子の輪（走る軌道）のエネルギー。１４  電気の光子の輪１５  電気の光子１個のエネルギーが電気の光子の輪（走る軌道）のエネルギー。１６  電気の光子は横回転      １７  磁気の光子は縦回転１８  同じ軌道を電気の光子は横回転し、磁気の光子は縦回転している。１９  球体      ２０  電子のラブはエネルギーが大きい。２１  電気の光子はエネルギーの小さい方向に走る。      ２２  分子２３  分子の外側を回転している光子      ２４  周囲の高エネルギーの光子２５  排斥２６  分子との結合が強く周囲の高エネルギーの光子によって排斥されない軌道２７  この軌道から、原子の中でできた光子は放出する。      ２８  夜行性の動物の目２９  目はこの光子を受ける。      ３０  渦巻状の回転を一方から見る。３１  中央をカットする。３２  地球では、５Ｋ＝１．６７５×１０４ｍで、エネルギーは１／１０の軌道３３  日光の出ている時、上空４×１０６ｍで、磁気の光子の軌道は１．２５×１０−５ｍの遠赤外線３４  夜、上空６．７×１０６ｍで、磁気の光子の軌道は１．２５×１０−５ｍの遠赤外線３５  宇宙では、光子が５Ｋ＝５．６×１０９ｍ、１８．７秒走ると、エネルギーは１／１０になる軌道。３６  この間に磁気の光子は１．３１×１０３６個の輪、電気の光子は１．８７×１０２０個の輪がある。３７  ラブの１自転の仕事エネルギー      ３８  磁気の光子の１回転の仕事エネルギー３９  ラブの１公転の仕事エネルギー      ４０  電気の光子の１回転の仕事エネルギー
【図１】
2005269884.tif 000003
【図２】
2005269884.tif 000004
【図３】
2005269884.tif 000005
【図４】
2005269884.tif 000006
【図５】
2005269884.tif 000007
【図６】
2005269884.tif 000008
【図７】
2005269884.tif 000009
【図８】
2005269884.tif 000010
【図９】
2005269884.tif 000011
【図１０】
2005269884.tif 000012
【図１１】
2005269884.tif 000013
【図１２】
2005269884.tif 000014
【手続補正書】
【提出日】平成16年11月22日(2004.11.22)
【手続補正１】
【補正対象書類名】図面
【補正対象項目名】図１
【補正方法】変更
【補正の内容】
【図１】
2005269884.tif 000015
【手続補正２】
【補正対象書類名】図面
【補正対象項目名】図２
【補正方法】変更
【補正の内容】
【図２】
2005269884.tif 000016
【手続補正３】
【補正対象書類名】図面
【補正対象項目名】図３
【補正方法】変更
【補正の内容】
【図３】
2005269884.tif 000017